(57)【要約】      （修正有）【課題】選択還元型触媒装置より下流側の排気通路へのアンモニアの流出を抑制することができる内燃機関の排気浄化システム及び内燃機関の排気浄化方法を提供する。【解決手段】選択還元型触媒装置に流入する排気に含まれるＮＯｘ量を取得する前段ＮＯｘ量取得装置と、選択還元型触媒装置より流出する排気に含まれるＮＯｘを検出するとともにこのＮＯｘに対する検出感度より低い感度でこの流出する排気に含まれるアンモニアを検出し、この流出する排気に含まれるＮＯｘ量をアンモニアの検出量も含めて検出する後段ＮＯｘ量検出装置とを備えて、前段ＮＯｘ量取得装置の取得値より後段ＮＯｘ量検出装置の検出値を減算した値Ｄがその符号が負の閾値である第１設定閾値Ｄ１未満であると判定した場合にＳ３０ＹＥＳ、減算した値Ｄがその符号が正の閾値である第２設定閾値Ｄ２以上になるまでＳ６０ＹＥＳ還元剤噴射装置からの還元剤の噴射を停止する。【選択図】図２
2020143610.tif 000002
【特許請求の範囲】
【請求項１】
内燃機関の排気通路に上流側より順に還元剤噴射装置、選択還元型触媒装置を備えて構成される内燃機関の排気浄化システムにおいて、
前記選択還元型触媒装置に流入する排気に含まれるＮＯｘ量を取得する前段ＮＯｘ量取得装置と、
前記選択還元型触媒装置より流出する排気に含まれるＮＯｘを検出する後段ＮＯｘ量検出装置と、
前記排気浄化システムを制御する制御装置と、を備えて、
前記制御装置が、
前記前段ＮＯｘ量取得装置の取得値より前記後段ＮＯｘ量検出装置の検出値を減算した値が予め設定され符号が負の閾値である第１設定閾値未満であると判定した場合に、前記減算した値が予め設定され符号が正の閾値である第２設定閾値以上になるまで前記還元剤噴射装置からの還元剤の噴射を停止する制御を行うように構成される内燃機関の排気浄化システム。
【請求項２】
前記排気通路を通過する排気を昇温させる排気昇温装置を前記排気通路に備えて、
前記制御装置が、
前記減算した値が継続して前記第１設定閾値未満である期間が予め設定された設定期間閾値以上継続した場合に、前記排気昇温装置により排気を昇温して、この昇温された排気により前記選択還元型触媒装置を昇温して、前記選択還元型触媒装置に吸着したアンモニアの量をゼロにする制御を行うように構成される請求項１に記載の内燃機関の排気浄化システム。
【請求項３】
内燃機関の排気通路に上流側より順に還元剤噴射装置、選択還元型触媒装置を備えて構成される内燃機関の排気浄化方法において、
前記選択還元型触媒装置に流入する排気に含まれるＮＯｘ量を取得する第１ステップと、
前記選択還元型触媒装置より下流側の前記排気通路に配置されて、前記選択還元型触媒装置より流出する排気に含まれるＮＯｘを検出する後段ＮＯｘ量検出装置により、前記選択還元型触媒装置より流出する排気に含まれるＮＯｘ量をアンモニアの検出量も含めて検出する第２ステップと、
前記第１ステップで取得したＮＯｘ量より前記第２ステップで検出したＮＯｘ量を減算した値を算出する第３ステップと、
前記第３ステップで算出した前記減算した値が予め設定され符号が負の閾値である第１設定閾値未満であるか否かを判定する第４ステップと、
前記第４ステップで前記減算した値が前記第１設定閾値未満であると判定した場合に、前記減算した値が予め設定され符号が正の閾値である第２設定閾値以上になるまで前記還元剤噴射装置からの還元剤の噴射を停止する第５ステップと、
を含むことを特徴とする内燃機関の排気浄化方法。
【発明の詳細な説明】
【技術分野】
【０００１】
本開示は、内燃機関の排気浄化システム及び内燃機関の排気浄化方法に関する。
【背景技術】
【０００２】
内燃機関の排気通路には還元剤噴射装置及び選択還元型触媒装置が配置されることがある（例えば、特許文献１参照）。この構成では、還元剤噴射装置より噴射される尿素水等の還元剤が加水分解されて生成されるアンモニアと排気に含まれるＮＯｘ（窒素酸化物）を選択還元型触媒装置で還元反応させることで、ＮＯｘを窒素及び水素に分解して浄化処理している。
【先行技術文献】
【特許文献】
【０００３】
【特許文献１】特開２０１０−２４８９６３号公報
【発明の概要】
【発明が解決しようとする課題】
【０００４】
ところで、アンモニアの一部は選択還元型触媒装置に吸着される。選択還元型触媒装置へのアンモニアの吸着量の上限は選択還元型触媒装置の温度が高くなるにつれて小さくなる。したがって、内燃機関の負荷変動に伴い排気の温度が急上昇したときに、選択還元型触媒装置に吸着していたアンモニアが大量に脱離して下流側の排気通路に排出される虞がある。
【０００５】
本開示の目的は、選択還元型触媒装置より下流側の排気通路へのアンモニアの流出を抑制することができる内燃機関の排気浄化システム及び内燃機関の排気浄化方法を提供することにある。
【課題を解決するための手段】
【０００６】
上記の目的を達成するための本発明の態様の内燃機関の排気浄化システムは、内燃機関の排気通路に上流側より順に還元剤噴射装置、選択還元型触媒装置を備えて構成される内燃機関の排気浄化システムにおいて、前記選択還元型触媒装置に流入する排気に含まれるＮＯｘ量を取得する前段ＮＯｘ量取得装置と、前記選択還元型触媒装置より流出する排気に含まれるＮＯｘを検出する後段ＮＯｘ量検出装置と、前記排気浄化システムを制御する制御装置と、を備えて、前記制御装置が、前記前段ＮＯｘ量取得装置の取得値より前記後段ＮＯｘ量検出装置の検出値を減算した値が予め設定され符号が負の閾値である第１設定閾値未満であると判定した場合に、前記減算した値が予め設定され符号が正の閾値である第２設定閾値以上になるまで前記還元剤噴射装置からの還元剤の噴射を停止する制御を行うように構成される。
【０００７】
また、上記の目的を達成するための本発明の態様の内燃機関の排気浄化方法は、内燃機関の排気通路に上流側より順に還元剤噴射装置、選択還元型触媒装置を備えて構成される内燃機関の排気浄化方法において、前記選択還元型触媒装置に流入する排気に含まれるＮＯｘ量を取得する第１ステップと、前記選択還元型触媒装置より下流側の前記排気通路に配置されて、前記選択還元型触媒装置より流出する排気に含まれるＮＯｘを検出する後段ＮＯｘ量検出装置により、前記選択還元型触媒装置より流出する排気に含まれるＮＯｘ量をアンモニアの検出量も含めて検出する第２ステップと、前記第１ステップで取得したＮＯｘ量より前記第２ステップで検出したＮＯｘ量を減算した値を算出する第３ステップと、前記第３ステップで算出した前記減算した値が予め設定され符号が負の閾値である第１設定閾値未満であるか否かを判定する第４ステップと、前記第４ステップで前記減算した値が前記第１設定閾値未満であると判定した場合に、前記減算した値が予め設定され符号が正の閾値である第２設定閾値以上になるまで前記還元剤噴射装置からの還元剤の噴射を停止する第５ステップと、を含むことを特徴とする方法である。
【発明の効果】
【０００８】
本開示によれば、選択還元型触媒装置より下流側の排気通路へのアンモニアの流出を抑制することができる。
【図面の簡単な説明】
【０００９】
【図１】本実施形態の内燃機関の排気浄化システムの構成を模式的に例示する図である。
【図２】本実施形態の内燃機関の排気浄化システムの制御方法を制御フローの形で例示する図である。
【図３】図２の制御フローに連なる制御フローを例示する図である。
【発明を実施するための形態】
【００１０】
以下、本開示の実施形態の内燃機関の排気浄化システム及び内燃機関の排気浄化方法について、図面を参照しながら説明する。
【００１１】
図１に例示するように、本実施形態の内燃機関の排気浄化システム１は、エンジン（内燃機関）２の排気通路３に排気Ｇの流れに関して上流側より順に、ターボ式過給システムのタービン４、電気ヒータ（排気昇温装置）５、尿素水噴射装置（還元剤噴射装置）６、選択還元型触媒装置７を備えて構成されるシステムである。なお、本実施形態では、エンジン２にターボ式過給システムを備えているが、ターボ式過給システムを備えていないエンジン２に対しても適用可能である。
【００１２】
タービン４は、エンジン２の吸気通路に備わるターボ式過給システムのコンプレッサと回転軸を介して連結される。排気Ｇのエネルギーによるタービン４の回転駆動力が回転軸を介してコンプレッサに伝達されることで、コンプレッサが回転駆動してコンプレッサに流入する吸気を圧縮する。
【００１３】
電気ヒータ５は、排気Ｇの流れに関して尿素水噴射装置６より上流側の排気通路３に配置されて、排気通路３を通過する排気Ｇを電気エネルギーにより昇温させる。電気エネルギーは、電気ヒータ５に接続されるバッテリ等より供給される。なお、電気ヒータ５を尿素水噴射装置６の後段の排気通路３に配置すると、電気ヒータ５により尿素水噴射装置６から噴射される尿素水Ｕのアンモニアへの加水分解を促進することができる。
【００１４】
また、本実施形態では、排気昇温装置として電気ヒータを一例としたが酸化触媒装置でもよい。この場合は、エンジン２の各気筒内に配置した燃料噴射弁より噴射される燃料に含まれる未燃炭化水素を下流側の酸化触媒装置に供給して、この酸化触媒装置で酸化させることで得られる発熱量で排気Ｇを昇温させる。酸化触媒装置より上流側の排気通路に燃料噴射装置を設けて、この燃料噴射装置より噴射される燃料に含まれる未燃炭化水素を酸化触媒装置に供給してもよい。なお、酸化触媒装置はアンモニアを酸化する機能を有するため、尿素水噴射装置６の前段の排気通路３に配置される。
【００１５】
尿素水噴射装置６は、下流側の選択還元型触媒装置７に向けて排気通路３の内部に尿素水Ｕを噴射する。噴射された尿素水Ｕは排気Ｇの熱により加水分解されてアンモニアに遷移する。遷移したアンモニアは下流側の選択還元型触媒装置７に供給される。
【００１６】
選択還元型触媒装置７は、排気Ｇに含まれるＮＯｘをアンモニアと還元反応させることでＮＯｘを浄化処理する。選択還元型触媒装置７にはアンモニアが吸着する。排気Ｇに含まれるＮＯｘは、尿素水噴射装置６より噴射された尿素水Ｕから遷移して選択還元型触媒装置７を通過するアンモニアと尿素水Ｕから遷移して選択還元型触媒装置７に吸着したアンモニアの両方により浄化処理される。ただし、気相のアンモニアとＮＯｘの反応は発生しにくいため、ＮＯｘの大半は選択還元型触媒装置７に吸着したアンモニアにより浄化処理される。選択還元型触媒装置７のアンモニアの吸着量の上限は選択還元型触媒装置７の温度が高くなるにつれて小さくなる。
【００１７】
尿素水噴射装置６の前段の排気通路３には前段ＮＯｘセンサ（前段ＮＯｘ量取得装置）８が備わる。前段ＮＯｘセンサ８は、選択還元型触媒装置７に流入する排気Ｇに含まれるＮＯｘの量（前段ＮＯｘ量）を検出（取得）する。なお、前段ＮＯｘ量取得装置８は、前段ＮＯｘセンサ８ではなく、エンジン２の運転状態に応じて前段ＮＯｘ量を推定する推定装置（内部モデル）でもよい。この推定装置は後述する制御装置１０と同一の装置でもよいし、制御装置１０とは別体の装置でもよい。
【００１８】
選択還元型触媒装置７より下流側の排気通路３には後段ＮＯｘセンサ（後段ＮＯｘ量取得装置）９が備わる。後段ＮＯｘセンサ９は、選択還元型触媒装置７より流出する排気Ｇに含まれるＮＯｘを検出するとともにこのＮＯｘに対する検出感度より低い感度でこの流出する排気Ｇに含まれるアンモニアを検出し、この流出する排気Ｇに含まれるＮＯｘ量（後段ＮＯｘ量）をアンモニアの検出量も含めて検出する。言い換えれば、後段ＮＯｘセンサ９の検出値は、排気Ｇに含まれるアンモニア量をＮＯｘ量に換算した値と排気Ｇに含まれるＮＯｘ量の検出値の合算値である。
【００１９】
本実施形態の内燃機関の排気浄化システム１には、この排気浄化システム１を制御する制御装置１０が備わる。制御装置１０は、各種情報処理を行うＣＰＵ（Central Processing Unit）、その各種情報処理を行うために用いられるプログラムや情報処理結果を読み書き可能な内部記憶装置、及び各種インターフェースなどから構成されるハードウェアである。制御装置１０には、電気ヒータ５、尿素水噴射装置６、前段ＮＯｘセンサ８、後段ＮＯｘセンサ９等の各種装置が電気的に接続される。
【００２０】
本実施形態の内燃機関の排気浄化システム１では、制御装置１０が、エンジン２が運転状態であるときに前段ＮＯｘセンサ８の検出値より後段ＮＯｘセンサ９の検出値を減算した値Ｄが実験等により予め設定され符号が負の閾値（以下、マイナスの閾値）である第１設定閾値Ｄ１未満であるか否かを判定する。そして、制御装置１０が、この減算した値Ｄが第１設定閾値Ｄ１未満であると判定した場合には、この減算した値Ｄが実験等により予め設定され符号が正の閾値（以下、プラスの閾値）である第２設定閾値Ｄ２以上になるまで尿素水噴射装置６からの尿素水Ｕの噴射を停止する制御を行う。
【００２１】
第１設定閾値Ｄ１は、選択還元型触媒装置７を通過する排気Ｇに含まれるＮＯｘの浄化率の目標値（エンジン２の運転状態に応じて設定される）を基に設定される基準値に対してＸ（４５≦Ｘ≦５５）％に設定される。第２設定閾値Ｄ２は、上記の基準値に対してＹ（６５≦Ｙ≦７５）％に設定される。なお、Ｘ、Ｙの各上限値及び下限値は一例であり、これらの値に限定されない。
【００２２】
排気Ｇに含まれるＮＯｘは選択還元型触媒装置７でアンモニアと還元反応をして浄化処理されるため、前段ＮＯｘセンサ８の検出値は後段ＮＯｘセンサ９の検出値より大きいのが通常である。しかしながら、エンジン２の急な負荷変動で排気Ｇの温度が急上昇することにより、選択還元型触媒装置７に吸着したアンモニアが大量に脱離して下流側の排気通路３に流れた場合には、後段ＮＯｘセンサ９が大量のアンモニアを検出して、後段ＮＯｘセンサ９の検出値が前段ＮＯｘセンサ８の検出値よりも大きくなる。この場合に尿素水噴射装置６からの尿素水Ｕの噴射を継続すると、噴射された尿素水Ｕから遷移したアンモニアが選択還元型触媒装置７を通過して下流側の排気通路３に流れることになり、排気通路３から大気により一層のアンモニアが流出することになる。
【００２３】
そこで、本実施形態では、前段ＮＯｘセンサ８の検出値より後段ＮＯｘセンサ９の検出値を減算した値Ｄがマイナスの閾値である第１設定閾値Ｄ１未満である場合に、選択還元型触媒装置７に吸着したアンモニアが大量に脱離しているとみなして、尿素水噴射装置６からの尿素水Ｕの噴射を停止する。尿素水Ｕの噴射停止は、減算した値Ｄがプラスの閾値である第２設定閾値Ｄ２以上になるまで継続する。言い換えれば、前段ＮＯｘセンサ８の検出値は後段ＮＯｘセンサ９の検出値より大きくなり、選択還元型触媒装置７に吸着したアンモニアの大量脱離が発生していないとみなすことが可能な時点まで尿素水Ｕの噴射停止を継続する。
【００２４】
このようにすることで、選択還元型触媒装置７に吸着したアンモニアの大量脱離の発生を検出することができるとともに、アンモニアの大量脱離の発生時に尿素水噴射装置６から噴射される尿素水Ｕから遷移したアンモニアが選択還元型触媒装置７より下流側の排気通路３に流出することを防止することができる。すなわち、選択還元型触媒装置７より下流側の排気通路３へのアンモニアの流出を抑制することができる。
【００２５】
また、制御装置１０が、この減算した値Ｄが第１設定閾値Ｄ１未満である期間Ｔが実験等により予め設定された設定期間閾値Ｔ１以上継続した場合に、電気ヒータ５により排気Ｇを昇温して、この昇温された排気Ｇにより選択還元型触媒装置７を昇温して、選択還元型触媒装置７に吸着したアンモニアの量をゼロにする制御を行う。期間Ｔは、この減算した値Ｄが第１設定閾値Ｄ１未満であると判定して尿素水噴射装置６からの尿素水Ｕの噴射を停止した時点から積算される。なお、電気ヒータ５による排気Ｇの昇温の終了時期については後述する。
【００２６】
選択還元型触媒装置７へのアンモニアの吸着量を直接検出することは困難であるため、このアンモニアの吸着量は種々のパラメータを用いて推定される。この推定値が実際の吸着量よりも少ない方に大きくずれていた場合、尿素水噴射装置６から尿素水Ｕが過剰に噴射されるため、選択還元型触媒装置７に過大な量のアンモニアが吸着する虞がある。
【００２７】
選択還元型触媒装置７に過大な量のアンモニアが吸着している場合、減算した値Ｄが第１設定閾値Ｄ１未満で尿素水噴射装置６からの尿素水Ｕの噴射を停止しても、選択還元型触媒装置７からアンモニアが脱離する時間が長くなるため、減算した値Ｄが長期間第１設定閾値Ｄ１未満となる。したがって、このような場合には、選択還元型触媒装置７を昇温して選択還元型触媒装置７に吸着した実際のアンモニアの量をゼロにするとともに、選択還元型触媒装置７のアンモニアの吸着量の推定値をゼロにリセットする。
【００２８】
このように選択還元型触媒装置７のアンモニアの吸着量の推定値をゼロにリセットすることで尿素水噴射装置６からの尿素水Ｕの噴射量を適正な量に制御することができ、選択還元型触媒装置７のアンモニアの吸着量を適正な量とすることができる。したがって、排気Ｇに含まれるＮＯｘの浄化率の低下を抑制し、選択還元型触媒装置７から脱離するアンモニアの量を抑制することができる。
【００２９】
なお、選択還元型触媒装置７を昇温することで選択還元型触媒装置７に吸着していたアンモニアは全量下流側の排気通路３に流出するが、尿素水噴射装置６からの尿素水Ｕの噴射を停止しているため、選択還元型触媒装置７より下流側の排気通路３に流出するアンモニアの量は全体的に抑制される。
【００３０】
本実施形態の内燃機関の排気浄化システム１を基にした制御フローについて、言い換えれば、内燃機関の排気浄化方法について、図２、図３を参照しながら説明する。図２に示す制御フローは、エンジン２が運転状態であるときに周期的に行われる制御フローである。図３に示す制御フローは図２の制御フローに連なる制御フローである。
【００３１】
図２に示す制御フローがスタートすると、ステップＳ１０にて、選択還元型触媒装置７に流入する排気Ｇに含まれるＮＯｘ量（前段ＮＯｘ量）を取得する（第１ステップ）とともに、選択還元型触媒装置７より流出する排気に含まれるＮＯｘ量（後段ＮＯｘ量）を後段ＮＯｘセンサ９により検出する（第２ステップ）。後段ＮＯｘセンサ９は、選択還元型触媒装置７より流出する排気Ｇに含まれるＮＯｘを検出するとともにこのＮＯｘに対する検出感度より低い感度でこの流出する排気Ｇに含まれるアンモニアを検出する。したがって、後段ＮＯｘセンサ９の検出値は、選択還元型触媒装置７より流出する排気Ｇに含まれるＮＯｘ量にこの流出する排気Ｇに含まれるアンモニア量も追加のＮＯｘ量として含めた値となる。ステップＳ１０を実施後、ステップＳ２０に進む。
【００３２】
ステップＳ２０にて、上記の第１ステップで取得した前段ＮＯｘ量より上記の第２ステップで検出した後段ＮＯｘ量を減算した値Ｄを算出する（第３ステップ）。ステップＳ２０を実施後、ステップＳ３０に進む。
【００３３】
ステップＳ３０にて、上記の第３ステップで算出した値Ｄが第１設定閾値Ｄ１未満であるか否かを判定する（第４ステップ）。値Ｄが第１設定閾値Ｄ１未満である場合（ＹＥＳ）には、ステップＳ４０に進む。値Ｄが第１設定閾値Ｄ１以上である場合（ＮＯ）には、ステップＳ５０に進む。
【００３４】
ステップＳ４０にて、尿素水噴射装置６からの尿素水Ｕの噴射を停止する。ステップＳ４０を実施後、ステップＳ１０に戻る。
【００３５】
ステップＳ５０にて、尿素水噴射装置６からの尿素水Ｕの噴射が停止されているか否かを判定する。言い換えれば、ステップＳ４０を通過しているか否かを判定する。尿素水Ｕの噴射が停止されている場合（ＹＥＳ）には、ステップＳ６０に進む。尿素水Ｕの噴射が停止されていない場合（ＮＯ）には、リターンに進んで、本制御フローを終了する。
【００３６】
ステップＳ６０にて、減算した値Ｄが第２設定閾値Ｄ２以上であるか否かを判定する。減算した値Ｄが第２設定閾値Ｄ２以上である場合（ＹＥＳ）には、ステップＳ７０に進む。減算した値Ｄが第２設定閾値Ｄ２未満である場合（ＮＯ）には、図３のステップＳ８０に進む。
【００３７】
ステップＳ７０にて、尿素水噴射装置６からの尿素水Ｕの噴射を開始する。言い換えれば、上記の第４ステップで減算した値Ｄが第１設定閾値Ｄ１未満であると判定した場合に、減算した値Ｄが第２設定閾値Ｄ２以上になるまで尿素水噴射装置６からの尿素水Ｕの噴射を停止する（第５ステップ）。ステップＳ７０を実施後、リターンに進んで、本制御のフローを終了する。
【００３８】
図３のステップＳ８０にて、減算した値Ｄが継続して第１設定閾値Ｄ１未満である期間Ｔが設定期間閾値Ｔ１以上であるか否かを判定する。期間Ｔが設定期間閾値Ｔ１以上である場合（ＹＥＳ）には、ステップＳ９０に進む。期間Ｔが設定期間閾値Ｔ１未満である場合（ＮＯ）には、ステップＳ１０に戻る。
【００３９】
ステップＳ９０にて、電気ヒータ５を用いた排気Ｇの昇温を開始する。ステップＳ９０を実施後、ステップＳ１００に進む。
【００４０】
ステップＳ１００にて、電気ヒータ５より後段の排気通路３を通過する排気Ｇの温度（排気温度）を取得する。排気温度は電気ヒータ５より後段の排気通路３に配置した排気温度センサ等により取得する。排気温度の取得値が実験等により予め設定した設定温度以上であるときには、排気温度の取得値が設定温度以上になったときを開始時点として経過時間ｔのカウントも開始する。また、ステップＳ１０と同様に、前段ＮＯｘ量を取得し、後段ＮＯｘ量を検出する。ステップＳ１００を実施後、ステップＳ１１０に進む。
【００４１】
ステップＳ１１０にて、ステップＳ２０と同様に、ステップＳ１００で取得した前段ＮＯｘ量よりステップＳ１００で検出した後段ＮＯｘ量を減算した値Ｄを算出する。ステップＳ１１０を実施後、ステップＳ１２０に進む。
【００４２】
ステップＳ１２０にて、ステップＳ１００でカウントを開始した経過時間ｔが実験等により予め設定した設定時間閾値ｔ１以上であるか否かを判定する。設定時間閾値ｔ１は、選択還元型触媒装置７に吸着した実際のアンモニアの量がゼロになるのに十分な時間として設定される。経過時間ｔが設定時間閾値ｔ１以上である場合（ＹＥＳ）には、ステップＳ１３０に進む。経過時間ｔが設定時間閾値ｔ１未満である場合（ＮＯ）には、ステップＳ１００に戻る。
【００４３】
なお、選択還元型触媒装置７に吸着したアンモニアが脱離して下流側の排気通路３に流出している場合に、尿素水噴射装置６からの尿素水Ｕの噴射を停止させると、後段ＮＯｘセンサ９の検出値は徐々に小さくなった後に再度徐々に大きくなっていく。後段ＮＯｘセンサ９の検出値が徐々に小さくなるのは、尿素水Ｕの噴射が停止されて選択還元型触媒装置７より下流側の排気通路３へのアンモニアの流出量が低減されたことに起因する。後段ＮＯｘセンサ９の検出値が小さくなった後に再度徐々に大きくなるのは、選択還元型触媒装置７で浄化処理されずに流出するＮＯｘの量が増加することに起因する。すなわち、後段ＮＯｘセンサ９の検出値の単位時間当たりの変動量が正となる（徐々に大きくなる）ときには、未だ選択還元型触媒装置７にアンモニアが吸着しているが非常に少なくゼロに近づいている状態である。したがって、設定時間閾値ｔ１は、この閾値ｔ１以上であると後段ＮＯｘセンサ９の検出値の単位時間当たりの変動量が正となることが予測される閾値として設定されることが好ましい。
【００４４】
なお、選択還元型触媒装置７に対するアンモニアの吸着量がゼロになる場合は値Ｄがゼロとなり、このアンモニアの吸着量がゼロではない場合は選択還元型触媒装置７から過剰にアンモニアが下流側の排気通路３に流出していない限りは値Ｄが正となる。
【００４５】
ステップＳ１３０にて、ステップＳ１１０で算出した値Ｄが実験等により予め設定した第３設定閾値Ｄ３以下であるか否かを判定する。第３設定閾値Ｄ３は、この閾値Ｄ３以下であると選択還元型触媒装置７に吸着した実際のアンモニアの量がゼロとなることを推定可能な値として設定される。値Ｄが第３設定閾値Ｄ３以下である場合（ＹＥＳ）には、ステップＳ１４０に進む。値Ｄが第３設定閾値Ｄ３を超える場合（ＮＯ）にはステップＳ１００に戻る。すなわち、ステップＳ１２０、Ｓ１３０で電気ヒータ５を用いた排気Ｇの昇温を終了するか否かを判定する。
【００４６】
ステップＳ１４０にて、電気ヒータ５を用いた排気Ｇの昇温を終了するとともに、尿素水噴射装置６からの尿素水Ｕの噴射を開始する。ステップＳ１４０を実施後、リターンに進んで、本制御フローを終了する。
【００４７】
以上より、本実施形態の内燃機関の排気浄化システム及び内燃機関の排気浄化方法によれば、選択還元型触媒装置７より下流側の排気通路３へのアンモニアの流出を抑制することができる。
【符号の説明】
【００４８】
１  内燃機関の排気浄化システム
２  エンジン（内燃機関）
３  排気通路
４  タービン
５  電気ヒータ（排気昇温装置）
６  尿素水噴射装置（還元剤噴射装置）
７  選択還元型触媒装置
８  前段ＮＯｘセンサ（前段ＮＯｘ量取得装置）
９  後段ＮＯｘセンサ（後段ＮＯｘ量取得装置）
１０  制御装置
【図１】
2020143610.tif 000003
【図２】
2020143610.tif 000004
【図３】
2020143610.tif 000005